(57)【特許請求の範囲】
【請求項１】
試料等の収容物を出し入れするための開口部が設けられている容器部と、前記開口部を閉塞すべく該開口部に着脱可能に嵌合せしめられる蓋部と、前記開口部を閉じている状態の蓋部を、てこの原理を利用して開くためのてこ機構部と、前記開口部を閉じている状態の蓋部を開かないように係止する、前記容器部及び／又は蓋部に一体的に設けられたロック機構部と、を具備して構成された蓋付き容器であって、
前記てこ機構部は、手指で押圧される力点部分と前記蓋部を開くべくその外周部に圧接せしめられる作用点部分とを有するレバー部と、該レバー部を支点部分を介して揺動自在に支持する容器部に形成された支持部と、を有し、前記レバー部と支持部とは、前記支点部分となる可撓性を有する薄肉部を介して連設されててこ及びロック用ヒンジ部を構成しており、前記ロック機構部は、前記蓋部に設けられた第１係止部と、前記てこ及びロック用ヒンジ部における前記レバー部側に設けられた、前記第１係止部に係合する第２係止部と、からなり、さらに、前記蓋部には、該蓋部が閉じられる際に前記レバー部の作用点部分を下方に押圧するレバー揺動用凸部が設けられていることを特徴とする蓋付き容器。
【請求項２】
前記ロック機構部の第１係止部が球状とされ、前記第２係止部が前記第１係止部が嵌合する球面を有する凹部とされ、前記第１係止部と第２係止部の少なくとも一方は、前記蓋部の閉操作時に弾性変形して他方に係合するようにされていることを特徴とする請求項１に記載の蓋付き容器。
【請求項３】
前記支持部は、容器部の開口面に沿う方向に突出する左右一対の支持片部を有し、この支持片部間に前記レバー部が配在されるとともに、前記支持片部の先端部と前記レバー部の力点側部分とがそれぞれ前記支点部分となる可撓性及び適度の弾性を有する薄肉部で連結されており、前記薄肉部は、内周面が断面三角形状の溝で構成されていることを特徴とする請求項１または２に記載の蓋付き容器。
【請求項４】
前記蓋部は前記容器部に、蓋用ヒンジ部を介して揺動自在に連結されていることを特徴とする請求項１に記載の蓋付き容器。
【請求項５】
前記蓋用ヒンジ部は、前記蓋部及び容器部に一体成形された、可撓性を有するシート状部ないし線材状部、あるいは、薄肉部を有する板状部からなっていることを特徴とする請求項４に記載の蓋付き容器。
【請求項６】
前記板状部からなる蓋用ヒンジ部は、横並びに形成された第１板状ヒンジ部と第２板状ヒンジ部とからなっており、前記第１板状ヒンジ部は、その中央部付近に下面開口の溝からなる折曲薄肉部が形成され、前記第２板状ヒンジ部は、その中央部付近に上方に凸の山形状部が形成されるとともに、該山形状部の左右両側に折曲薄肉部が形成されていることを特徴とする請求項５に記載の蓋付き容器。
【請求項７】
前記蓋用ヒンジ部は、適度な弾性を有していることを特徴とする請求項５に記載の蓋付き容器。
【請求項８】
前記容器部は、少なくともその上部が円筒状とされ、片手で握ることができる大きさとされていることを特徴とする請求項１に記載の蓋付き容器。
【請求項９】
試料等を保存するために用いられるサンプルチューブと称される容器であることを特徴とする請求項１に記載の蓋付き容器。
【請求項１０】
各部が、同一材料で一体成形されていることを特徴とする請求項１に記載の蓋付き容器。
【請求項１１】
各部が、合成樹脂、金属、ガラス、セラミック、及び、それらの複合材料のうちの一種もしくは複数種の材料が用いられて作製されていることを特徴とする請求項１に記載の蓋付き容器。
【請求項１２】
前記容器部とそれ以外の部分とが別体とされていることを特徴とする請求項１に記載の蓋付き容器。
【請求項１３】
前記容器部以外の部分は、前記容器部に着脱自在に取り付けられる着脱蓋体として作製されていることを特徴とする請求項１２に記載の蓋付き容器。
【請求項１４】
前記着脱蓋体は、前記蓋部と前記てこ機構部及び／又はロック機構部とが一体的に設けられていることを特徴とする請求項１３に記載の蓋付き容器。
【請求項１５】
前記容器部の上部に雄ねじ部もしくは雌ねじ部が設けられ、前記着脱蓋体に前記雄ねじ部もしくは雌ねじ部に螺合せしめられる雌ねじ部もしくは雄ねじ部が設けられていることを特徴とする請求項１３に記載の蓋付き容器。
【発明の詳細な説明】
【技術分野】
【０００１】
本発明は、試料等の収容物を出し入れするための開口部が設けられている容器部と、その開口部を閉塞すべく該開口部に着脱可能に嵌合せしめられる蓋部と、を有する、例えば試料等を保存するために用いられるサンプルチューブ等の蓋付き容器に関する。
【背景技術】
【０００２】
この種の蓋付き容器の従来例を図１２に示す。図１２（Ａ）は平面図、（Ｂ）は（Ａ）のＶ−Ｖ矢視断面図である。図示の蓋付き器１００は、一般にサンプルチューブと称される、生物系の実験室等において試料等の保存、混合、遠心沈殿等に使用される高さ４ｃｍ、直径１ｃｍ程度の容器であり、試料等の収容物を出し入れするための開口部１１が設けられている容器部１０と、前記開口部１１を閉塞すべく該開口部１１（容器部１０の上端部）に着脱可能に嵌合せしめられる蓋部２０と、を有する。【０００３】
詳細には、前記容器部１０は、その上部が円筒状とされ、図示されていない下部は、図１（Ｂ）に示されているものと同様に円錐状となっている。なお、容器部１０は、透明ないし半透明とされている。この容器部１０の上端近くの外周には、補強と蓋受けを兼ねるフランジ部１５が一体に設けられ、このフランジ部１５と蓋部２０とは、可撓性を有するシート状のヒンジ部２５を介して連結されている。【０００４】
前記蓋部２０は、容器部１０の上端部（開口部１１）に外嵌される断面逆凹字状の蓋本体部２１と、容器部１０の上端部（開口部１１）に気密的に内嵌される短円筒状の内嵌部２２と、蓋部２０を開く際に手指を掛けるための、蓋本体部２１から径方向外方（容器部１０の開口面に沿う方向）に突出する（フランジ部１５からも側方に突出する）突出爪状部２７が設けられている。【０００５】
本蓋付き容器１００を構成する容器部１０、フランジ部１５、ヒンジ部２５、蓋部２０は、同一の合成樹脂材料で一体成形されている。【０００６】
かかる構成の蓋付き容器１００において、蓋部２０を（Ｂ）に示される閉状態から開くには、前記突出爪状部２７を手指で上向きに押圧するか引き上げる。これにより、（Ｃ）に示される如くに蓋部２０が開く。逆に開いた状態（Ｃ）から閉じるには、蓋部２０を容器部１０の開口部１１に被せて下向きに押圧する。これにより、（Ｂ）に示される如くに、前記内嵌部２２が開口部１１の内周側に圧入されて開口部１１が気密的に閉じられる。【０００７】
蓋部２０を開く場合、開き始めに大きな力が必要となるが、開き方向に少しでも動けば後は楽に全開できる。【０００８】
しかしながら、前記した従来例の蓋付き容器（サンプルチューブ）１００においては、特に、試料等を容器部に入れて蓋部を閉めた状態で冷凍あるいは冷蔵保存し、その後に、保存した試料を実験、測定等に使用すべく、蓋部を開けようとしても、蓋部がきつく閉まっていて、容易には開けられないことがしばしばあった。【０００９】
蓋部が開けにくいと、何百本ものサンプルチューブの開け閉めを行う場合、蓋部の開け閉めにとてつもない時間及び労力を費やすことになり、実験、測定等に支障を来たし、さらに、手指に大きな負担がかかり指先を痛めることにもなる。【００１０】
また、例えばピペットで試料の吸い出しを行う場合、蓋部がきつく閉まっていると、片手では蓋部を開けることができないので、例えば、右手に持ったピペットを一旦実験台等に置き、サンプルチューブを左手で持ち、右手で蓋部をこじ開けるような操作を行わなければならないため、極めて効率が悪く、ピペットでの試料吸い出しに長時間を要する。たとえ１回当たりの時間のロスは小さくとも、何千回、何万回と蓋部の開け閉めを行わなければならない場合、トータルでの時間のロスは無視できない。【００１１】
一方、上記とは逆に、従来例のサンプルチューブでは、しっかりと閉じられた状態の蓋部が不意に開いてしまうことがある。具体的には、試料を実験、測定等に供する際、試料の入ったサンプルチューブを温める必要のある場合があり、この場合は、例えば、サンプルチューブの上部（蓋部）より下の部分を湯槽内に入れて、循環移動させながら温めるようにされるのであるが、このとき、サンプルチューブの内圧が増加して、蓋部が開いてしまうことがある。蓋部が開くと、例えば、サンプルチューブの循環移動により波立っている湯面からの湯がサンプルチューブ内に飛び込み、試料を台無しにしてしまうという問題が生じる。【００１２】
このような問題が発生するのを防止するため、従来においては、別体のクリップ等を蓋部−容器部間に装着する等して蓋部が不意に開かないようにロックしていた。しかしながら、蓋部を別体のクリップ等でロックする方策では、蓋部の開け閉めに際して、クリップ等の装着（ロック）、取り外し（ロック解除）操作を行わなければならないので、面倒であるとともに、時間のロスが大きくなる。【００１３】
本発明は、前記のような従来の問題を解消すべくなされたもので、その目的とするところは、蓋部がきつく閉まっていても、手指に大きな負担をかけることなく、蓋部を片手で容易に開けることができるようにされ、しかも、比較的簡素な構造で低コストで製造することのできる蓋付き容器を提供することにある。【００１４】
他の目的とするところは、内圧の増加等により蓋部が不意に開くことがないようにロックすることができるとともに、そのロック操作及びロック解除操作を極めて簡単容易に行うことができるようにされ、しかも、比較的簡素な構造で低コストで製造することのできる蓋付き容器を提供することにある。【００１５】
さらに他の目的とするところは、前記二つの目的を同時にかつ合理的に達成することができるようにされた蓋付き容器を提供することにある。
【発明の開示】
【００１６】
前記目的を達成すべく、本発明に係る第１態様の蓋付き容器は、試料等の収容物を出し入れするための開口部が設けられている容器部と、前記開口部を閉塞すべく該開口部に着脱可能に嵌合せしめられる蓋部と、を有するサンプルチューブ等の容器であって、基本的には、前記開口部を閉じている状態の蓋部を、てこの原理を利用して開くためのてこ機構部を具備していることを特徴としている。
【００１７】
本発明に係る第２態様の蓋付き容器は、試料等の収容物を出し入れするための開口部が設けられている容器部と、前記開口部を閉塞すべく該開口部に着脱可能に嵌合せしめられる蓋部と、前記開口部を閉じている状態の蓋部を開かないように係止する、前記容器部及び／又は蓋部に一体的に設けられたロック機構部と、を具備して構成される。
【００１８】
本発明に係る係る第３態様の蓋付き容器は、試料等の収容物を出し入れするための開口部が設けられている容器部と、前記開口部を閉塞すべく該開口部に着脱可能に嵌合せしめられる蓋部と、前記開口部を閉じている状態の蓋部を、てこの原理を利用して開くためのてこ機構部と、前記開口部を閉じている状態の蓋部を開かないように係止する、前記容器部及び／又は蓋部に一体的に設けられたロック機構部と、を具備して構成される。
【００１９】
前記第１態様の蓋付き容器に備えられるてこ機構部は、オープナーとして機能し、具体的な好ましい態様では、手指で押圧される力点部分と前記蓋部を開くべくその外周部に圧接せしめられる作用点部分とを有するレバー部と、該レバー部を支点部分を介して揺動自在に支持する支持部と、から構成される。
【００２０】
前記てこ機構部としては、前記レバー部における前記力点部分と前記作用点部分との間に前記支点部分が存在する回転式のもの、及び、前記レバー部における前記力点部分と前記支点部分との間に前記作用点部分が存在する押し上げ式のものの、いずれも利用することができる。
【００２１】
他の好ましい態様では、前記てこ機構部のレバー部と支持部とは、前記支点部分となる可撓性を有する薄肉部を介して連設される。この場合、好ましくは、前記薄肉部は、内周面が断面円弧状ないし三角形状の溝で構成される。
【００２２】
より具体的な好ましい態様では、前記てこ機構部の支持部は、所定間隔をあけて前記容器部の開口面に沿う方向に突出する左右一対の支持片部を有し、該一対の支持片部間にレバー部が配在されるとともに、前記一対の支持片部と前記レバー部の力点側部分とがそれぞれ前記支点部分となる薄肉部で連結される。
【００２３】
ここで、少なくとも前記薄肉部が、適度な弾性を有するように作製することにより、蓋部を開いた後、レバー部から手を離すと、レバー部は元の姿勢（例えば水平姿勢）に戻り、蓋部を閉める際等の邪魔になることはない。
【００２４】
また、前記蓋部には、好ましくは、前記レバー部の作用点部分が圧接せしめられる、前記容器部の開口面に沿う方向に突出する突出爪状部が設けられる。
【００２５】
他の好ましい態様では、前記蓋部に、該蓋部が閉じられる際に前記レバー部の作用点部分を下方に押圧するレバー揺動用凸部が設けられる。これにより、蓋部を閉めた際、レバー部の力点側部分（一端側）を支点部分より上方に揺動させることが可能となり、その結果、所望のレバー比を確保したもとで、蓋部が閉じられているときにおけるレバー部の側方（水平方向）の突出長が短縮され、蓋付き容器の（特に平面視での）占有スペースを小さくすることができる。
【００２６】
また、他の好ましい態様では、前記レバー部の力点部分に、手指で押圧される手指押圧用凸部が設けられる。これにより、てこ機構部による蓋部の開操作を一層容易に行うことができる。
【００２７】
また、前記容器部と、前記蓋部と、前記てこ機構部とを、同一材料で一体成形することにより、製造コストを低く抑えることができるが、それに限定される訳ではなく、各部を別体にしてもよく、とりわけ、少なくとも前記てこ機構部のレバー部は、他の部材とは別体としてもよい。
【００２８】
このように、てこ機構部（オープナー）を装備した本発明に係る第１態様の蓋付き容器において、蓋部を開くには、容器部を片手で握り、その片手の親指でてこ機構部のレバー部の一端部（力点部分）を押圧する。これにより、その押圧力がレバー比（支点から力点までの長さに対する支点から作用点点までの長さの比）に応じて増大せしめられて蓋部に作用するので、蓋部がきつく閉まっていても、手指に大きな負担をかけることなく、蓋部を片手で容易に開けることができる。これにより、利便性が高められて商品価値が格段に向上する。
【００２９】
一方、前記第２態様の蓋付き容器に備えられるロック機構部は、好ましくは、前記容器部及び蓋部のうちの一方に設けられた第１係止部と、他方に一体成形されたロック用ヒンジ部に設けられた、前記第１係止部に係合する第２係止部と、からなっている。
【００３０】
この場合、好ましい態様では、前記第１係止部と第２係止部の少なくとも一方は、前記ロック用ヒンジ部の片側を前記第１係止部側に揺動させた際に弾性変形して他方に係合するようにされ、より具体的な好ましい態様では、前記第１係止部が球状とされ、前記第２係止部が前記第１係止部が嵌合する球面を有する凹部とされる。
【００３１】
このように、ロック機構部が一体的に設けられた本発明に係る第２態様の蓋付き容器においては、閉じられた状態の蓋部をロックするには、例えば、容器部を片手で握り、その片手（もしくは他方の手）の指で、第２係止部が設けられているロック用ヒンジ部の片側を第１係止部側に揺動させる。これにより、例えば、第１係止部と第２係止部の少なくとも一方が弾性変形して第２係止部が第１係止部に係合し、蓋部がロックされる。このようにして蓋部がロックされることにより、蓋付き容器の内圧が増加する等しても蓋部が不意に開くことがないようにされる。また、蓋部を開ける際のロック機構部によるロックの解除は、前記ロック時とは逆に、第２係止部が設けられているロック用ヒンジ部の片側を第１係止部から離れる方向に揺動させればよい。
【００３２】
したがって、本発明に係るロック機構部を備えた蓋付き容器では、ロック機構部が容器部及び／又は蓋部に一体的に設けられているので、蓋部を別体のクリップ等でロックするようにされた従来のものに比して、蓋部のロック操作及びロック解除操作を簡単容易に行うことができる。
【００３３】
一方、前記てこ機構部（オープナー）とロック機構部の両方を備えた第３態様の蓋付き容器では、好ましくは、前記てこ機構部と前記ロック機構部とが相互に連動するようにされる。
【００３４】
より好ましい態様では、前記蓋部の閉操作に伴い、前記ロック機構部により前記蓋部がロックされ、前記てこ機構部による前記蓋部の開操作に伴い、前記ロック機構部による前記蓋部のロックが解除されるようにされる。
【００３５】
さらに具体的な好ましい態様では、前記てこ機構部は、手指で押圧される力点部分と前記蓋部を開くべくその外周部に圧接せしめられる作用点部分とを有するレバー部と、該レバー部を支点部分を介して揺動自在に支持する支持部と、を有し、前記レバー部と支持部とは、前記支点部分となる可撓性を有する薄肉部を介して連設されててこ及びロック用ヒンジ部を構成しており、前記ロック機構部は、前記蓋部に設けられた第１係止部と、前記てこ及びロック用ヒンジ部における前記レバー部側に設けられた、前記第１係止部に係合する第２係止部と、から構成される。
【００３６】
この場合、好ましい態様では、前記ロック機構部の第１係止部が球状とされ、前記第２係止部が前記第１係止部が嵌合する球面を有する凹部とされ、前記第１係止部と第２係止部の少なくとも一方は、前記蓋部の閉操作時に弾性変形して他方に係合するようにされる。また、前記蓋部に、好ましくは、該蓋部が閉じられる際に前記レバー部の作用点部分を下方に押圧するレバー揺動用凸部が設けられる。
【００３７】
このように、てこ機構部とロック機構部を備えた本発明に係る第３態様の蓋付き容器において、蓋部を開くには、容器部を片手で握り、その片手の親指でてこ機構部のレバー部（てこ及びロック用ヒンジ部）の一端部（力点部分）を押圧すれば、その押圧力がレバー比に応じて増大せしめられて蓋部に作用するので、蓋部がきつく閉まっていても、手指に大きな負担をかけることなく、蓋部を片手で容易に開けることができる。この場合、好ましい態様では、前記てこ機構部と前記ロック機構部とが相互に連動、具体的には、前記てこ機構部による前記蓋部の開操作に伴い、前記ロック機構部による前記蓋部のロックが自動的に解除される。
【００３８】
また、蓋部をロックするには、例えば、容器部を片手で握り、その片手（もしくは他方の手）の指で、蓋部を閉める。これに連動して、つまり、蓋部の閉操作に伴い、例えば、てこ機構部のレバー部（てこ及びロック用ヒンジ部の片側）が開操作時とは逆方向に揺動せしめられて、第１係止部と第２係止部の少なくとも一方が弾性変形して第１係止部と第２係止部とが係合する。これにより、蓋部が自動的にロックされ、内圧の増加等により蓋部が不意に開くことがないようにされる。
【００３９】
したがって、本発明に係るてこ機構部及びロック機構部を備えた蓋付き容器では、ロック操作及びロック解除操作を、蓋部の閉操作及びてこ機構部による蓋部の開操作に連動して自動的に行うことができるので、蓋部を別体のクリップ等でロックするようにされた従来のものに比して、そのロック操作及びロック解除操作を極めて簡単容易に、しかも、確実に行うことができる。
【００４０】
上記に加え、てこ機構部及び／又はロック機構部は、他の部材と一体成形することもできる比較的簡素な構造であるので、蓋付き容器全体を従来のものとさほど変わらないコストで製造することができる。
【００４１】
また、前記各態様の蓋付き容器において、前記蓋部は、好ましくは、前記容器部に、蓋用ヒンジ部を介して揺動自在に連結される。
【００４２】
前記蓋用ヒンジ部は、好ましくは、前記蓋部及び容器部に一体成形された、可撓性を有するシート状部ないし線材状部、あるいは、薄肉部を有する板状部から構成される。
【００４３】
前記板状部からなる蓋用ヒンジ部は、横並びに形成された第１板状ヒンジ部と第２板状ヒンジ部とからなっており、前記第１板状ヒンジ部は、その中央部付近に下面開口の溝からなる折曲薄肉部が形成され、前記第２板状ヒンジ部は、その中央部付近に上方に凸の山形状部が形成されるとともに、該山形状部の左右両側に折曲薄肉部が形成される。
【００４４】
また、前記蓋用ヒンジ部は、好ましくは、適度な弾性を有するものとされる。
【００４５】
さらに好ましい態様では、前記容器部は、少なくともその上部が円筒状とされ、片手で握ることができる大きさとされる。
【００４６】
本発明に係る蓋付き容器は、試料等を保存するために用いられるサンプルチューブに最も適合するが、それに限定される訳ではなく、例えば、シャンプー容器、醤油、塩、コショウ等の調味料容器等、種々の液体、粉末等の保存容器にも適用できる。
【００４７】
また、本発明に係る蓋付き容器は、合成樹脂、金属、ガラス、セラミック、及び、それらの複合材料のうちの一種もしくは複数種の材料を用いて作製することができる。この場合、各部が別体とされている場合は、それぞれ異なる材料を使用してもよい（例えば、レバー部を金属とし、他を合成樹脂とする等）。
【００４８】
さらに、本発明に係る蓋付き容器の他の好ましい態様においては、前記容器部とそれ以外の部分とが別体とされる。
【００４９】
この場合、前記容器部以外の部分は、好ましくは、前記容器部に着脱自在に取り付けられる着脱蓋体として作製され、より好ましい態様では、前記着脱蓋体には、前記蓋部と前記てこ機構部及び／又はロック機構部とが一体的に設けられる。
【００５０】
また、前記容器部に前記着脱蓋体を着脱自在に取り付ける構成としては、前記容器部の上部に雄ねじ部もしくは雌ねじ部を設け、前記着脱蓋体に前記雄ねじ部もしくは雌ねじ部に螺合せしめられる雌ねじ部もしくは雄ねじ部を設けること等が挙げられる。
【００５１】
このように、蓋付き容器を、容器部と着脱蓋体とからなる相互に着脱可能な分割構成とすることにより、着脱蓋体と容器部とを異なる材料で作製することが可能となり、材料選択自由度が向上する。
【００５２】
また、てこ機構部やロック機構部等の構成が異なる、前記容器部に着脱自在に取り付けられる複数種の着脱蓋体を作製しておけば、それらのうちから、試料等の保存物の種類やその保存環境等に最も適したものを選択使用することが可能となるとともに、容器部は共通品を使用できるので、商品価値が高められるとともに、容器部とそれ以外の部分が一体のものを複数種製造する場合に比してコストを低く抑えることができる。
【図面の簡単な説明】
【００５３】
【図１】図１は、本発明に係る蓋付き容器の第１実施形態を示し、（Ａ）は蓋部を開けた状態を示す平面図、（Ｂ）は（Ａ）の側面図。
【図２】図２において、（Ａ）は第１実施形態の蓋付き容器において蓋部を閉じた状態を示す平面図、（Ｂ）は（Ａ）のＸ−Ｘ矢視断面図、（Ｃ）は（Ｂ）の状態から蓋部を開けている様子を示す断面図。
【図３】図３は、本発明に係る蓋付き容器の第２実施形態を示し、（Ａ）は蓋部を閉じた状態を示す平面図、（Ｂ）は（Ａ）のＹ−Ｙ矢視断面図、（Ｃ）は（Ｂ）の状態から蓋部を開けている様子を示す断面図。
【図４】図４は、本発明に係る蓋付き容器の第３実施形態を示し、（Ａ）は蓋部を閉じた状態を示す平面図、（Ｂ）は（Ａ）のＺ−Ｚ矢視断面図、（Ｃ）は（Ｂ）の状態から蓋部を開けている様子を示す断面図。
【図５】図５は、本発明に係る蓋付き容器の第４実施形態を示し、（Ａ）は蓋部を開けた状態を示す斜視図、（Ｂ）は蓋部を閉めている様子を示す斜視図。
【図６】図６（Ａ）、（Ｂ）、（Ｃ）は、第４実施形態の蓋付き容器において蓋部を閉じた状態から開けている様子を段階的に示す断面図。
【図７】図７は、本発明に係る蓋付き容器の第５実施形態の蓋部を開けた状態を示す斜視図。
【図８】図８において、（Ａ）は第５実施形態の蓋付き容器の蓋部を閉じている様子を示す斜視図、（Ｂ）は（Ａ）の状態から蓋部を閉めた状態を示す部分切欠斜視図。
【図９】図９（Ａ）、（Ｂ）、（Ｃ）は、第５実施形態の蓋付き容器において蓋部を開いた状態から閉じている様子を段階的に示す断面図。
【図１０】図１０は、本発明に係る蓋付き容器の第６実施形態を示し、（Ａ）は蓋部を開けた状態を示す斜視図、（Ｂ）は蓋部を閉めた状態を示す断面図。
【図１１】図１１は、本発明に係る蓋付き容器の第７実施形態を示し、（Ａ）は着脱蓋体と容器部とからなる蓋付き容器において、容器部から着脱蓋体を取り外した状態を示す図、（Ｂ）は（Ａ）の着脱蓋体を容器部に取り付けた状態を示す図。
【図１２】図１２において、（Ａ）は従来例の蓋付き容器において蓋部を閉じた状態を示す平面図、（Ｂ）は（Ａ）のＶ−Ｖ矢視断面図、（Ｃ）は（Ｂ）の状態から蓋部を開けている様子を示す断面図。
【発明を実施するための最良の形態】
【００５４】
以下、本発明に係る蓋付き容器の実施形態を図面を参照しながら説明する。【００５５】
［第１実施形態］
図１は、本発明に係る蓋付き容器の第１実施形態を示し、（Ａ）は蓋部を完全に開いた状態を示す平面図、（Ｂ）はその側面図である。図１においては、前述した図１２に示される従来例の蓋付き容器１００の各部と対応する部分には同一の符号が付されている（後述する図２〜図１１においても同様）。【００５６】
本実施形態の蓋付き容器１も、図１２に示されるものと同様に、生物系の実験室等において試料等の保存、混合、遠心沈殿等に使用される、高さ４ｃｍ、直径１ｃｍ程度のサンプルチューブであり、試料等の収容物を出し入れするための開口部１１が設けられている容器部１０と、前記開口部１１を閉塞すべく該開口部１１（容器部１０の上端部）に着脱可能に嵌合せしめられる蓋部２０と、に加えて、前記開口部１１を閉じている状態の蓋部２０を、てこの原理を利用して開くためのてこ機構部３０を備える。【００５７】
詳細には、容器部１０は、その上部が円筒状でその下部は円錐状とされ、透明ないし半透明となっている。この容器部１０の上端近くの外周には、図１に加えて、蓋部２０を閉じた状態を示す図２（Ａ）とそのＸ−Ｘ矢視断面（上部のみ）を示す図２（Ｂ）を参照すればよくわかるように、補強と蓋受けを兼ねる、平面視で左側部が部分的に切欠されているフランジ部１５が一体に設けられ、このフランジ部１５と蓋部２０とは、可撓性を有するシート状のヒンジ部２５を介して連結されている。【００５８】
前記蓋部２０は、容器部１０の上端部（開口部１１）に外嵌される断面逆凹字状の蓋本体部２１と、容器部１０の上端部（開口部１１）に気密的に内嵌される短円筒状の内嵌部２２と、蓋部２０の開閉に供される、蓋本体部２１から径方向外方（容器部１０の開口面に沿う方向）に突出する（フランジ部１５からも側方に突出する）突出爪状部２７が設けられている。【００５９】
前記てこ機構部３０は、手指で押圧される力点Ｐ部分と蓋部２０を開くべく突出爪状部２７の下面に圧接せしめられる作用点Ｑ部分とを有するレバー部３３と、該レバー部３３を支点Ｏ部分を介して揺動自在に支持する、前記フランジ部１５に連設された支持部３０Ａ（３１、３２）と、から構成されている。【００６０】
より詳細には、てこ機構部３０の支持部３０Ａは、所定間隔をあけて容器部１０の開口面に沿う方向（径方向）に突出する平面視Ｌ字状の左右一対の支持片部３１、３２を有し、該一対の支持片部３１、３２間に平面視Ｔ字状部分を有する（全体では平面視Ｉ字ないしローマ数字の「１」字状の）レバー部３３が配在されるとともに、前記左右一対の支持片部３１、３２の下辺部３１ａ、３２ａと前記レバー部３３の上辺部３３ａの左右端部とがそれぞれ前記支点Ｏ部分となる、可撓性及び適度の弾性を有する薄肉部３５を介して連設されている。前記薄肉部３５は、内周面が断面半円弧状の溝で構成されている。【００６１】
したがって、本実施形態のてこ機構部３０は、レバー部３３における力点Ｐ部分と作用点Ｑ部分との間に支点Ｏ部分が存在する回転式のものとされる。【００６２】
また、本実施形態の蓋付き容器１は、各部、つまり、容器部１０、蓋部２０、フランジ部１５、てこ機構部３０（支持部３０Ａ及びレバー部３３）、ヒンジ部２５、突出爪状部２７の全ての部分が、同一材料で一体成形されている。材料としては、合成樹脂が用いられている。【００６３】
かかる構成の蓋付き容器１において、蓋部２０を図２（Ｂ）に示される閉状態から開くには、容器部１０を片手で握り、その片手の親指で、てこ機構部３０のレバー部３３の一端部上面（力点Ｐ部分）を下向きに押圧する。これにより、図２（Ｃ）に示される如くに、薄肉部３５（の中央）を支点Ｏとして（薄肉部３５が弾性変形して）、レバー部３３の一端部（力点Ｐ部分）が押し下げられるとともに、レバー部３３の他端部（上辺部３３ａ）上面の作用点Ｑ部分が突出爪状部２７の下面に圧接して、これを持ち上げ、蓋部２０が開く。【００６４】
蓋部２０を開く場合、開き始めに大きな力が必要となるが、開き方向に少しでも動けば後は楽に全開できる。【００６５】
この場合、てこ機構部３０のレバー部３３の一端部（力点Ｐ部分）を押圧すれば、その押圧力がレバー比（支点Ｏから力点Ｐまでの長さに対する支点Ｏから作用点Ｑまでの長さの比）に応じて増大せしめられて蓋部２０（突出爪状部２７）に作用するので、蓋部２０がきつく閉まっていても、手指に大きな負担をかけることなく、蓋部２０を片手で容易に開けることができる。これにより、利便性が高められて商品価値が格段に向上する。【００６６】
また、てこ機構部３０は、他の部材と一体成形される比較的簡素な構造であるので、蓋付き容器１全体を従来のものとさほど変わらないコストで製造することができる。【００６７】
なお、蓋部２０を開いた状態から閉じるには、従来のものと同様に、蓋部２０を容器部１０の開口部１１に被せて下向きに押圧する。【００６８】
また、薄肉部３５は、適度な弾性を有しているので、蓋部２０を開いた後、レバー部３３から手を離すと、レバー部３３は元の姿勢（水平姿勢）に戻り、蓋部２０を閉める際等の邪魔になることはない。【００６９】
［第２実施形態］
図３は、本発明に係る蓋付き容器の第２実施形態を示し、（Ａ）は蓋部２０を閉じた状態を示す平面図、（Ｂ）は（Ａ）のＹ−Ｙ矢視断面図である。【００７０】
本第２実施形態の蓋付き容器２と前述した第１実施形態の蓋付き容器１とは、てこ機構部の構成が異なるだけで、他の部分（容器部１０、蓋部２０等）は略同一構成であるので、以下においては、てこ機構部４０を重点的に説明する。【００７１】
本実施形態のてこ機構部４０は、手指で押圧される力点Ｐ部分と蓋部２０を開くべく突出爪状部２７の一端部下面に圧接せしめられる作用点Ｑ部分とを有するレバー部４３と、該レバー部４３を支点Ｏ部分となる薄肉部４５を介して揺動自在に支持する、前記フランジ部１５の一部で構成される支持部４４と、を備える。前記薄肉部４５は、内周面が断面半円弧状の溝で構成され、可撓性及び適度の弾性を有する。【００７２】
したがって、本実施形態のてこ機構部４０は、レバー部４３における力点Ｐ部分と支点Ｏ部分との間に作用点Ｑ部分が存在する押し上げ式のものである。【００７３】
また、本実施形態の蓋付き容器２は、各部、つまり、容器部１０、蓋部２０、フランジ部１５、てこ機構部４０（支持部４４及びレバー部４３）、ヒンジ部２５、突出爪状部２７の全ての部分が、同一材料で一体成形されている。材料としては、合成樹脂が用いられている。【００７４】
かかる構成の蓋付き容器２において、蓋部２０を図３（Ｂ）に示される閉状態から開くには、容器部１０を片手で握り、その片手の親指で、てこ機構部４０のレバー部４３の一端部下面（力点Ｐ部分）を上向きに押圧する。これにより、図３（Ｃ）に示される如くに、薄肉部４５（の中央）を支点Ｏとして（薄肉部４５が弾性変形して）、レバー部４３の一端部（力点Ｐ部分）が押し上げられるとともに、レバー部４３における力点Ｐ部分と支点Ｏ部分との間に位置する作用点Ｑ部分が突出爪状部２７の一端部下面に圧接して、これを持ち上げ、蓋部２０が開く。【００７５】
蓋部２０を開く場合、開き始めに大きな力が必要となるが、開き方向に少しでも動けば後は楽に全開できる。【００７６】
この場合、てこ機構部４０のレバー部４３の一端部（力点Ｐ部分）を押圧すれば、その押圧力がレバー比（支点Ｏから力点Ｐまでの長さに対する支点Ｏから作用点Ｑまでの長さの比）に応じて増大せしめられて蓋部２０（突出爪状部２７）に作用するので、蓋部２０がきつく閉まっていても、手指に大きな負担をかけることなく、蓋部２０を片手で容易に開けることができる。これにより、利便性が高められて商品価値が格段に向上する。【００７７】
また、てこ機構部４０は、他の部材と一体成形される比較的簡素な構造であるので、蓋付き容器２全体を従来のものとさほど変わらないコストで製造することができる。【００７８】
［第３実施形態］
図４は、本発明に係る蓋付き容器の第３実施形態を示し、（Ａ）は蓋部２０を閉じた状態を示す平面図、（Ｂ）は（Ａ）のＺ−Ｚ矢視断面図である。【００７９】
本第３実施形態の蓋付き容器３と前述した第１実施形態の蓋付き容器１とは、てこ機構部の構成が異なるだけで、他の部分（容器部１０、蓋部２０等）は略同一構成であるので、以下においては、てこ機構部５０を重点的に説明する。【００８０】
本実施形態のてこ機構部５０は、手指で押圧される力点Ｐ部分と蓋部２０を開くべく突出爪状部２７の下面に圧接せしめられる作用点Ｑ部分とを有するレバー部５３と、該レバー部５３を支点Ｏ部分となる支軸部５５を介して揺動自在に支持する、前記フランジ部１５に連設された支持部５０Ａ（５１、５２）と、から構成されている。【００８１】
より詳細には、てこ機構部５０の支持部５０Ａは、所定間隔をあけて容器部１０の開口面に沿う方向（径方向）に突出する左右一対の支持片部５１、５２を有し、該一対の支持片部５１、５２の一端部間を橋絡するように水平に支軸部５５がそれらと一体に形成されている。【００８２】
また、レバー部５３は、短冊状とされ、その下面部には、前記支軸部５５に適度な弾発力をもって回動可能に外嵌されるＣ形外嵌部５４が一体に設けられている。該レバー部５３は、支持片部５１，５２及び支軸部５５とは別体とされ、それらより、剛性の大きな材料で作製されている。【００８３】
本実施形態のてこ機構部５０は、第１実施形態のものと同様に、レバー部５３における力点Ｐ部分と作用点Ｑ部分との間に支点Ｏ部分が存在する回転式のものとされる。【００８４】
また、本実施形態の蓋付き容器３は、てこ機構部５０のレバー部５３以外の各部、つまり、容器部１０、蓋部２０、フランジ部１５、てこ機構部５０の支持部５０Ａ（５１、５２）、支軸部５５、ヒンジ部２５、突出爪状部２７の部分が、第１実施形態と同様に、同一材料で一体成形されている。材料としては、合成樹脂が用いられている。【００８５】
かかる構成の蓋付き容器３においても、蓋部２０を図４（Ｂ）に示される閉状態から開くには、容器部１０を片手で握り、その片手の親指で、てこ機構部５０のレバー部５３の一端部上面（力点Ｐ部分）を下向きに押圧する。これにより、図４（Ｃ）に示される如くに、支軸部５５を支点Ｏとして、レバー部５３の一端部（力点Ｐ部分）が押し下げられるとともに、レバー部５３の他端部上面の作用点Ｑ部分が突出爪状部２７の下面に圧接して、これを持ち上げ、蓋部２０が開く。【００８６】
蓋部２０を開く場合、開き始めに大きな力が必要となるが、開き方向に少しでも動けば後は楽に全開できる。【００８７】
この場合、てこ機構部５０のレバー部５３の一端部（力点Ｐ部分）を押圧すれば、その押圧力がレバー比（支点Ｏから力点Ｐまでの長さに対する支点Ｏから作用点Ｑまでの長さの比）に応じて増大せしめられて蓋部２０（突出爪状部２７）に作用するので、蓋部２０がきつく閉まっていても、手指に大きな負担をかけることなく、蓋部２０を片手で容易に開けることができる。これにより、利便性が高められて商品価値が格段に向上する。【００８８】
［第４実施形態］
図５は、本発明に係る蓋付き容器の第４実施形態を示し、（Ａ）は蓋部を開けた状態を示す斜視図、（Ｂ）は蓋部を閉めている様子を示す斜視図である。また、図６（Ａ）、（Ｂ）、（Ｃ）は、第４実施形態の蓋付き容器において蓋部を閉じた状態から開けている様子を段階的に示す断面図である。【００８９】
本第４実施形態の蓋付き容器４と前述した第１実施形態の蓋付き容器１とは、てこ機構部の構成が異なるだけで、他の部分（容器部１０、蓋部２０等）は略同一構成であるので、以下においては、てこ機構部５０を重点的に説明する。【００９０】
本実施形態の蓋付き容器４のてこ機構部６０は、手指で押圧される力点Ｐ部分、及び、閉状態の蓋部２０の外周部における突出爪状部２７の下面側に突設されたレバー揺動用凸部６８に圧接せしめられる作用点Ｑ部分を有するレバー部６３と、該レバー部６３を支点Ｏ部分を介して揺動自在に支持する支持部６１と、から構成されている。【００９１】
前記支持部６１は、前記フランジ部１５に連設された、容器部１０の開口面に沿う方向（径方向外方）に突出する左右一対の支持片部６１ａ、６１ａを有し、この支持片部６１ａ、６１ａ間に平面視Ｔ字状部分を有するレバー部６３が配在されるとともに、前記支持片部６１ａ、６１ａの先端部と前記レバー部６３の力点側部分６３ａ（の左右）とがそれぞれ前記支点部分Ｏとなる可撓性及び適度の弾性を有する薄肉部６５で連結されている。前記薄肉部６５は、内周面が断面三角形状の溝で構成されている。また、前記レバー揺動用凸部６８は、蓋部２０が閉じられる際に前記レバー部６３の作用点側部分６３ｂを下方に押圧するようになっている。さらに、前記レバー部６３の力点Ｐ部分に、手指で押圧される、先端が断面半月状の手指押圧用凸部６７が設けられている。【００９２】
したがって、本実施形態のてこ機構部６０は、レバー部６３における力点Ｐ部分と作用点Ｑ部分との間に支点Ｏ部分が存在する回転式のものとされる。【００９３】
また、蓋部２０と容器部１０とは、薄肉部を有する板状部からなる蓋用ヒンジ部９０を介して揺動自在に一体に連結されている。前記板状部からなる蓋用ヒンジ部９０は、図５を参照すればよくわかるように、適度な弾性を有し、所定間隔を開けて横並びに形成された左右一対の第１板状ヒンジ部９２、９２と、この第１板状ヒンジ部９２、９２間に配在された第２板状ヒンジ部９４とからなっており、第１板状ヒンジ部９２は、その中央部付近に下面開口の溝からなる折曲薄肉部９２ａが形成され、第２板状ヒンジ部９４は、その中央部付近に上方に凸の山形状部９４ａが形成されるとともに、該山形状部９４ａの左右両側に折曲薄肉部９４ｂ、９４ｂが形成されている。【００９４】
また、本実施形態の蓋付き容器１は、各部、つまり、容器部１０、蓋部２０、フランジ部１５、てこ機構部６０、ヒンジ部９０、突出爪状部２７、レバー揺動用凸部６８等の全ての部分が、同一材料（ポリプロピレン等の合成樹脂材料）で一体成形されている。【００９５】
かかる構成の蓋付き容器１において、蓋部２０を図６（Ａ）に示される閉状態から開くには、容器部１０を片手で握り、その片手の親指で、てこ機構部６０のレバー部６３の手指押圧用凸部６７（力点Ｐ部分）を斜め下方向に押圧する。これにより、図６（Ｂ）、（Ｃ）に示される如くに、薄肉部６５（の中央）を支点Ｏとして（薄肉部６５が弾性変形して）、レバー部６３の手指押圧用凸部６７（力点側部分６３ａ）が押し下げられるとともに、レバー部６３の他端部（作用点側部分６３ｂ）上面の作用点Ｑ部分がレバー揺動用凸部６８の下面に圧接して、これを持ち上げ、蓋部２０が開く。なお、薄肉部６５は、適度な弾性を有しているので、蓋部２０を開いた後、レバー部６３から手を離すと、レバー部６３は元の姿勢（水平姿勢）に戻り、蓋部２０を閉める際等の邪魔になることはない。【００９６】
蓋部２０を開く場合、開き始めに大きな力が必要となるが、開き方向に少しでも動けば後は楽に全開でき、第１実施形態のものと同様な作用効果が得られる。【００９７】
ここで、本実施形態の蓋付き容器４では、蓋部２０にレバー揺動用凸部６８が設けらているので、蓋部２０を閉めた際、レバー部６３の力点側部分６３ａを支点Ｏ部分より上方に揺動させることが可能となり、その結果、所望のレバー比を確保したもとで、蓋部２０が閉じられているときにおけるレバー部の側方（水平方向）の突出長が前記した第１、第２、第３実施形態の蓋付き容器１、２、３より短縮され、蓋付き容器の（特に平面視での）占有スペースを小さくすることができる。【００９８】
また、前記レバー部６３の力点Ｐ部分に、手指で押圧される手指押圧用凸部６７が設けられていることにより、てこ機構部６０による蓋部２０の開操作を一層容易に行うことができる。【００９９】
また、てこ機構部３０は、他の部材と一体成形される比較的簡素な構造であるので、蓋付き容器４全体を従来のものとさほど変わらないコストで製造することができる。【０１００】
なお、図６（Ｃ）において仮想線で示される如くに、蓋部２０を水平に開いた状態から閉じる際、蓋部２０を９０度近くまで揺動させると、前記蓋用ヒンジ部９０の作用により、蓋部２０が自動的に閉方向に倒れ込む（左回りに６０度〜９０度程度揺動する）ようになっており、このため、蓋部２０の閉操作を楽に行うことができる。【０１０１】
［第５実施形態］
図７、図８、図９は、本発明に係る蓋付き容器の第５実施形態を示し、図７は蓋部を開けた状態を示す斜視図である。また、図８において、（Ａ）は蓋部を閉じている様子を示す斜視図、（Ｂ）は（Ａ）の状態から蓋部を閉めた状態を示す部分切欠斜視図であり、図９の（Ａ）、（Ｂ）、（Ｃ）は、蓋部を開いた状態から閉じいる様子を段階的に示す断面図である。【０１０２】
本第５実施形態の蓋付き容器４は、前記した第４実施形態の蓋付き容器４に、てこ機構部６０に連動するロック機構部７０を追加したものであるので、以下においては、てこ機構部６０及びロック機構部７０を重点的に説明する。【０１０３】
すなわち、本第５実施形態の蓋付き容器５において、てこ機構部６０は、第４実施形態と同じ構成の支持部６１及びレバー部６３を有し、前記レバー部６３と支持部６１（の支持片部６１ａ、６１ａ）とは、前記支点Ｏ部分となる薄肉部６５を介して連設されて、てこ及びロック用ヒンジ部６０Ａを構成している。そして、ロック機構部７０は、前記蓋部２０における突出爪状部２７付近から径方向外方に突出するように、該蓋部２０に一体成形された球状の第１係止部（球状係止部）７１と、前記てこ及びロック用ヒンジ部６０Ａにおける前記レバー部６３の力点側部分６３ａの中央に設けられた、前記球状係止部７１が嵌合する球面を有する凹部からなる第２係止部（球面係止凹部）７２と、からなっている。なお、球面係止凹部７２は、前記手指押圧用凸部６７の一部を抉るように形成されている。この場合、前記球状係止部７１と球面係止凹部７２は、前記蓋部２０の閉操作時に弾性変形（特に球面係止凹部７２の開口端縁部が弾性的に拡開）して、相互にその体積の２／３程度が嵌合するようにされている（図９（Ｂ）→（Ｃ）参照）。【０１０４】
このように、てこ機構部６０とロック機構部７０を備えた第５実施形態の蓋付き容器５において、蓋部２０を開くには、第４実施形態と同様に、容器部１０を片手で握り、その片手の親指でてこ機構部６０のレバー部６３の一端部（力点Ｐ部分）を押圧すれば、その押圧力がレバー比に応じて増大せしめられて蓋部２０に作用するので、蓋部２０がきつく閉まっていても、手指に大きな負担をかけることなく、蓋部２０を片手で容易に開けることができる。この場合、てこ機構部６０とロック機構部７０とが相互に連動、具体的には、てこ機構部６０による蓋部２０の開操作に伴い（図９の（Ｃ）→（Ｂ）→（Ｃ））、ロック機構部７０による蓋部２０のロックが自動的に解除される。【０１０５】
また、蓋部２０をロックするには、例えば、容器部を片手で握り、その片手（もしくは他方の手）の指で、蓋部を閉める（図９の（Ａ）→（Ｂ）→（Ｃ））。これに連動して、つまり、蓋部２０の閉操作に伴い、てこ機構部６０のレバー部６３（てこ及びロック用ヒンジ部６０Ａの片側＝力点側部分６３ａ）が開操作時とは逆方向に揺動せしめられて、球状係止部７１と球面係止凹部７２が弾性変形して相互に嵌合する。これにより、蓋部２０が自動的にロックされ、内圧の増加等により蓋部が不意に開くことがないようにされる。【０１０６】
したがって、本実施形態のてこ機構部６０及びロック機構部７０を備えた蓋付き容器５では、ロック操作及びロック解除操作を、蓋部２０の閉操作及びてこ機構部６０による蓋部２０の開操作に連動して自動的に行うことができるので、蓋部を別体のクリップ等でロックするようにされた従来のものに比して、そのロック操作及びロック解除操作を極めて簡単容易に、しかも、確実に行うことができる。【０１０７】
上記に加え、てこ機構部６０及びロック機構部７０は、他の部材と一体成形することもできる比較的簡素な構造であるので、蓋付き容器全体を従来のものとさほど変わらないコストで製造することができる。【０１０８】
［第６実施形態］
図１０は、本発明に係る蓋付き容器の第６実施形態を示し、（Ａ）は蓋部を開けた状態を示す斜視図、（Ｂ）は蓋部を閉めた状態を示す断面図である。【０１０９】
本第６実施形態の蓋付き容器６は、ロック機構部７０のみを設けたもので、第５実施形態の蓋付き容器５の各部に対応する部分に同一の符号を付して重複説明を省略する。【０１１０】
本実施形態の蓋付き容器６では、ロック機構部７０が一体的に設けられており、閉じられた状態の蓋部２０をロックするには、例えば、容器部１０を片手で握り、その片手（もしくは他方の手）の指で、球面係止凹部７２が設けられているロック用ヒンジ部６０Ｂの片側を球状係止部７１側に揺動させる。これにより、球状係止部７１と球面係止凹部７２が弾性変形して相互に嵌合し、蓋部２０がロックされ、内圧の増加等により蓋部が不意に開くことがないようにされる。また、蓋部２０を開ける際のロック機構部７０によるロックの解除は、前記ロック時とは逆に、球面係止凹部７２が設けられているロック用ヒンジ部６０Ｂの片側を球状係止部７１から離れる方向に揺動させればよい。【０１１１】
したがって、本実施形態のロック機構部７０を備えた蓋付き容器６では、蓋部２０を別体のクリップ等でロックするようにされた従来のものに比して、そのロック操作及びロック解除操作を簡単容易に行うことができる。【０１１２】
また、ロック機構部７０は、他の部材と一体成形される比較的簡素な構造であるので、蓋付き容器全体を従来のものとさほど変わらないコストで製造することができる。【０１１３】
［第７実施形態］
図１１は、本発明に係る蓋付き容器の第７実施形態を示している。本第７実施形態の蓋付き容器７は、第１実施形態の蓋付き容器１の容器部１０とそれ以外の部分（蓋付き容器１の上部を構成するフランジ部１５、ヒンジ部２５、蓋部２０、及び、てこ機構部３０）とを別体とし、容器部以外の部分を容器部に着脱自在に取り付けることができるようにしたものである。【０１１４】
すなわち、本実施形態の蓋付き容器７は、図１１（Ａ）、（Ｂ）に示される如くに、第１実施形態と略同じ構成の蓋部２０、ヒンジ部２５、フランジ部１５、及びてこ機構部３０が、容器部１０’とは別体の着脱蓋体１２として作製されている。この着脱蓋体１２におけるフランジ部１５の下側には、円筒部１６が延設され、この円筒部１６の内周に容器部１０’の上部外周に形成された雄ねじ部１３に螺合せしめられる雌ねじ部１４が形成されている。ここでは、着脱蓋体１２を構成する蓋部２０、ヒンジ部２５、フランジ部１５、てこ機構部３０、及び、雌ねじ部１４付き円筒部１６が同じ合成樹脂材料で一体成形されており、この着脱蓋体１２は、その雌ねじ部１４を容器部１０’の雄ねじ部１３にねじ込む（フランジ部１５の下面が容器部１０’の上端面に接当するまで）ことにより、容器部１０’に取り付けられ、上記とは逆に緩めることにより、容器部１０’から取り外すことができるようになっている。【０１１５】
このように、蓋付き容器７を、容器部１０’と着脱蓋体１２とからなる相互に着脱可能な分割構成とすることにより、着脱蓋体１２と容器部１０’とを異なる材料で作製することが可能となり、材料選択自由度が向上する。【０１１６】
また、着脱蓋体として、上記第７実施形態では、蓋部２０、ヒンジ部２５、フランジ部１５、及び、てこ機構部３０が第１実施形態の構成のものを用いたが、これに限られる訳ではなく、前述した第２〜第６実施形態の構成のもの（異なる構成のてこ機構部及び／又はロック機構部等を備えているもの）を用いてもよい。このようにてこ機構部やロック機構部等の構成が異なる、前記容器部１０’に着脱自在に取り付けられる（雄ねじ部１３に螺合せしめられる雌ねじ部１４を有する）複数種の着脱蓋体を作製しておけば、それらのうちから、試料の種類やその保存環境等に最も適したものを選択使用することが可能となるとともに、容器部１０’は共通品を使用できるので、商品価値が高められるとともに、容器部とそれ以外の部分が一体のものを複数種製造する場合に比してコストを低く抑えることができる。【０１１７】
なお、上記実施形態では、容器部１０’に着脱蓋体１２を着脱自在に取り付けるための構成として両者にねじ部１３、１４を設けているが、これに限られるわけではなく、容器部に着脱蓋体を着脱自在に取り付けるための構成としては、例えば、両者の弾性を利用して着脱自在に嵌合させる等の手法も用いることができる。
【図１】
0004049800.tif 000002
【図２】
0004049800.tif 000003
【図３】
0004049800.tif 000004
【図４】
0004049800.tif 000005
【図５】
0004049800.tif 000006
【図６】
0004049800.tif 000007
【図７】
0004049800.tif 000008
【図８】
0004049800.tif 000009
【図９】
0004049800.tif 000010
【図１０】
0004049800.tif 000011
【図１１】
0004049800.tif 000012
【図１２】
0004049800.tif 000013